(57)【要約】  電子デバイスのＲＦ伝送層（３０１）と、ＲＦ伝送層（３０１）に電気的に接続された導体（３０９）との間で無線周波数遷移を可能にするＲＦ遷移アセンブリ（３００）。導体（３０９）は、ＲＦ伝送層（３０１）に概して直角に延在している。アセンブリは、ＲＦ伝送層（３０１）の縁部に隣接して位置する開放同軸構造（３１３）を含む。開放同軸構造（３１３）は、導体（３０９）を受け入れるためにそれを通して延在している空洞（３１５）を含む。空洞（３１５）は、電磁放射をＲＦ伝送層（３０１）に向けるように、ＲＦ伝送層（３０１）の縁部に面する開口を含む。
2019519095.tif 000002
【特許請求の範囲】
【請求項１】
電子デバイスのＲＦ伝送層と、前記ＲＦ伝送層に対して概して直角に延在しており、前記ＲＦ伝送層に電気的に接続されている導体との間の無線周波数遷移を可能にするＲＦ遷移アセンブリであって、前記アセンブリは、
前記ＲＦ伝送層の縁部に隣接して置かれ、且つ前記導体を受け入れるためにそれを通して延在している空洞を含む開放同軸構造であって、前記空洞は、電磁放射を前記ＲＦ伝送層に向けるために前記ＲＦ伝送層の前記縁部に面した開口を含む、開放同軸構造を含む、アセンブリ。
【請求項２】
前記開放同軸構造の前記空洞は、円セグメントに対応する断面を有している、請求項１に記載のアセンブリ。
【請求項３】
前記開放同軸構造の前記空洞の断面は、１８０°より大きな角度を囲んでいる、請求項１または２に記載のアセンブリ。
【請求項４】
前記開放同軸構造の前記空洞の断面は、約１８０°から約３４０°、任意で約２４０°の角度を囲んでいる、請求項１、２または３に記載のアセンブリ。
【請求項５】
前記開放同軸構造と前記無線周波数伝送層の１つ以上の接地領域との間に１つ以上の接地相互接続をさらに含む、請求項１から４のいずれか一項に記載のアセンブリ。
【請求項６】
前記開放同軸構造の少なくとも一部は、前記ＲＦ伝送層の平面内に延在している、請求項１から５のいずれか一項に記載のアセンブリ。
【請求項７】
前記開放同軸構造の前記空洞は、前記ＲＦ伝送層の前記縁部に隣接する前記導体の端部を越えて延在している、請求項１から６のいずれか一項に記載のアセンブリ。
【請求項８】
前記開放同軸構造の前記空洞は、前記空洞の少なくとも半径の長さだけ前記ＲＦ伝送層に隣接する前記導体の前記端部を越えて延在している、請求項１から７のいずれか一項に記載のアセンブリ。
【請求項９】
前記ＲＦ伝送層に隣接する前記導体の前記端部は、前記導体に対して概して直角な方向に延在している前記開放同軸構造の一部によって、前記開放同軸構造の前記空洞内で囲まれている、請求項６または７に記載のアセンブリ。
【請求項１０】
前記開放同軸構造は、前記ＲＦ伝送層の１つ以上の接地領域とほぼ同一平面にある、前記ＲＦ伝送層に隣接する１つ以上の階段状接地領域をさらに含み、前記無線周波数遷移は、前記１つ以上の階段状接地領域と前記ＲＦ伝送層の前記１つ以上の接地領域との間の１つ以上の接地相互接続をさらに含む、請求項７から９に記載のアセンブリ。
【請求項１１】
電子デバイスのためのパッケージであって、請求項１から１０のいずれか一項に記載のＲＦ遷移アセンブリを含む、パッケージ。
【請求項１２】
請求項１から１１のいずれか一項に記載のＲＦ遷移を含む電気光学変調器。
【請求項１３】
電子デバイスであって、
パッケージ本体と、
前記パッケージ本体の一面上に取り付けられたＲＦ基板と、
ＲＦ伝送層であって、前記ＲＦ基板が前記ＲＦ伝送層と前記パッケージ本体との間に層を形成するように、前記ＲＦ基板上に取り付けられたＲＦ伝送層と、
前記ＲＦ伝送層に電気的に接続された導体であって、前記ＲＦ伝送層に対して概して直角な方向に、前記パッケージ本体を通して延在している導体と、
前記無線周波数伝送層の縁部に隣接した、前記パッケージ本体の前記一面上に取り付けられ、前記導体を受け入れるためにそれを通して延在している空洞を含む開放同軸構造であって、前記空洞は、電磁放射を前記無線周波数伝送層に向けるために前記無線周波数伝送層の前記縁部に面する開口を含む、開放同軸構造と、を含む電子デバイス。
【発明の詳細な説明】
【技術分野】
【０００１】
本発明は、概して、無線周波数構造に関する。とりわけ、本発明は、電子デバイスまたは光電子デバイス用パッケージ内の層間遷移を含む無線周波数構造に関する。
【背景技術】
【０００２】
光電子デバイスなどの電子デバイスは、多層構造に配置される構成要素を含むアセンブリにしばしば形成される。従って、異なる高さの層に配置される電子部品を接続するための角度付き遷移を含む構造に対する必要性がある。例えば、表面実装型デバイスは、典型的に、パッケージ本体の対向する面に配置された無線周波数伝送層を接続するために、パッケージ本体を通過する電気接続を介して給電される。電気的接続は、一般的に、無線周波数伝送層と直交していてもよく、その結果、９０°の角度付き遷移をもたらす。
【０００３】
そのような角度付き遷移は、高性能無線周波数（ＲＦ）デバイスにとって問題であることが知られている。特に、パッケージ内に収容された回路または無線周波数伝送層への相互接続を含む角度付き遷移は、高ＲＦ性能を保証するために慎重なインピーダンス整合を必要とすることがある。
【０００４】
いくつかの技術および材料が、角度付き遷移を有する構造を形成することに対して当該技術分野で知られている。セラミック材料は、無線周波数伝送層のための支持構造として使用されてもよく、この場合において電気的接続はセラミック材料を貫通する孔に配置することができる。あるいは、米国特許第７８４９００号明細書は、光電子デバイスにおいて内部導電層と外部導電層との間の遷移を実現するために、プラスチック材料内で曲げられた導体を説明している。導体の屈曲は、無線周波数性能を低下させ得るインダクタンス寄生効果を回避する。
【０００５】
角度付き遷移を形成するためのさらなるアプローチは、パッケージ本体内に取り付けられた同軸ガラスビーズを使用している。同軸ガラスビーズは、はんだ付けによって無線周波数伝送層に接続され得る中央の導電性ピンを有する絶縁ガラスシリンダを含む。このアプローチは、金属のパッケージ本体を使用することができ、しばしば良好な無線周波数性能をもたらすことができるという利点を有している。残念ながら、このアプローチは、特に、複数の回路を同時に相互接続しなければならない場合、許容誤差やプロセス制御に関連する問題に悩まされる。
【０００６】
従って、当業者であれば、高性能ＲＦデバイスでの使用に適した改善された角度付き遷移の望ましさを理解するであろう。
【先行技術文献】
【特許文献】
【０００７】
【特許文献１】米国特許第７８４９００号明細書
【発明の概要】
【発明が解決しようとする課題】
【０００８】
本発明の目的は、上述した問題に対処するか、または少なくとも緩和する、角度付き無線周波数遷移を提供することである。
【課題を解決するための手段】
【０００９】
本発明の一態様によれば、電子デバイスのＲＦ伝送層と、ＲＦ伝送層に電気的に接続された導体との間の無線周波数遷移を可能にするＲＦ遷移アセンブリが提供される。導体は、ＲＦ伝送層に概して直角に延在している。アセンブリは、ＲＦ伝送層の縁部に隣接して位置する開放同軸構造を含む。開放同軸構造は、導体を受け入れるためにそれを通して延在している空洞を含む。空洞は、電磁放射をＲＦ伝送層に向けて誘導するように、ＲＦ伝送層の縁部に面する開口を含む。任意に、開放同軸構造の少なくとも一部は、ＲＦ伝送層の平面内に延在している。
【００１０】
開放同軸構造の空洞は、角度付き遷移にわたって無線周波数構造によって生成された電磁場を誘導し、それによりマイクロ波放射を通した損失を低減することができる。導体要素の界面における電気的損失も誘導効果によって低減され、それにより角度付き遷移を通したＲＦ伝送を改善する。
【００１１】
開放同軸構造の空洞によって提供される電磁場の誘導は、空洞の大きさおよび形状を変えることによって変更することができる。例えば、空洞は、円セグメントに対応する断面を有していてもよく、空洞によって囲まれる角度は、１８０°より大きくてもよい。別の例として、約１８０°から３４０°、任意で約２４０°の角度を使用することができる。
【００１２】
開放同軸構造は、開放同軸構造と、ＲＦ伝送層と関連した１つ以上の接地領域との間に１つ以上の接地相互接続をさらに含むことができる。
【００１３】
開放同軸構造の空洞は、電磁場の誘導を改善するために、ＲＦ伝送層に隣接した導体の端部を越えて延在してもよい。例えば、開放同軸構造の空洞は、少なくとも空洞の半径の長さだけ導体の端部を越えて延在してもよい。
【００１４】
開放同軸構造は、導体層の１つ以上の接地領域とほぼ同一平面にある、導体層に隣接した１つ以上の階段状接地領域を備えていてもよい。接地相互接続がそれから、１つ以上の階段状接地領域と、導電層の１つ以上の接地領域との間で作られてもよい。
【００１５】
ＲＦ遷移は、例えば電気光学変調器を含む電子デバイス用のパッケージに使用してもよい。
【００１６】
本発明の別の態様によれば、パッケージ本体の一面に取り付けられたＲＦ基板を含む電子デバイスが提供される。ＲＦ伝送層は、ＲＦ基板がＲＦ伝送層とパッケージ本体との間に層を形成するように、ＲＦ基板上に取り付けられる。導体は、無線周波数伝送層に電気的に接続され、ＲＦ伝送層に概して直角な方向に、パッケージ本体を通して延在している。開放同軸構造は、パッケージ本体のＲＦ伝送層の縁部に隣接した一面に取り付けられている。開放同軸構造は、導体を受け入れるためにそれを通して延在している空洞を含む。空洞は、電磁放射を無線周波数伝送層に向けて誘導するために、無線周波数伝送層の端部に面した開口を含む。
【００１７】
本発明の別の態様によれば、ＲＦ伝送層の積層配置と導体との間で無線周波数遷移を可能にするＲＦ遷移アセンブリが提供される。導体は、各ＲＦ伝送層に電気的に接続され、ＲＦ伝送層の積層配置に概して直角に延在している。開放同軸構造は、ＲＦ伝送層の積層配置に隣接して置かれ、導体を受け入れるためにそれを通して延在している空洞を含む。空洞は、電磁放射をＲＦ伝送層の各々に向けて誘導するために、ＲＦ伝送層の縁部に面する１つ以上の開口を含む。
【図面の簡単な説明】
【００１８】
本発明のいくつかの好ましい実施形態が、単なる例示として、添付の図面を参照して説明される。
【００１９】
【図１】基板に取り付けられたＲＦ回路および同軸ガラスビーズを含む従来のＲＦ遷移の斜視図である。
【図２】図１に示したＲＦ遷移の断面図である。
【図３】開放同軸構造を含むＲＦ遷移の斜視図である。
【図４】開放同軸構造が接地されているＲＦ遷移の斜視図である。
【図５】開放同軸構造が接地されているさらなるＲＦ遷移の斜視図である。
【図６】開放同軸構造を有する代わりのＲＦ遷移の斜視図である。
【図７】さらなる代わりのＲＦ遷移の斜視図である。
【発明を実施するための形態】
【００２０】
図１は、ＲＦ基板１０３内に、またはＲＦ基板１０３上に取り付けられた、伝送線またはＲＦ回路などの上部ＲＦ伝送層１０１が、同軸ガラスビーズ（図１には示されていない）に相互接続されている、従来技術で知られた９０°無線周波数遷移１００の斜視図である。ＲＦ基板１０３は、パッケージ本体１０５の上部表面上に配置され、一方で、フレキシブル回路などの外部ＲＦ伝送層１０７が、パッケージ本体１０５の下部表面上に置かれる。外部ＲＦ伝送層１０７からのＲＦ信号の上部ＲＦ伝送層１０１への伝送を可能にするために、外部ＲＦ伝送層１０７およびＲＦ回路１０１は、ＲＦ基板１０３およびパッケージ本体１０５を垂直に、かつ外部ＲＦ伝送層１０７内へ貫通する同軸ガラスビーズのピンまたは中央導体１０９によって電気的に接続されている。上部ＲＦ伝送層１０１は、９０°の角度でＲＦ遷移を形成するように、はんだ相互接続１１１によって中央導体１０９に接続されている。
【００２１】
図に示すようなパッケージ本体１０５に関して使用される、「上部」および「下部」は、相対的な用語であることが理解されよう。使用時において、デバイスまたは装置は任意の方向に向けることができる。
【００２２】
図２は、図１に示した９０°ＲＦ遷移１００の断面図である。同軸ガラスビーズ２０２は、絶縁材料から形成され、中央導体１０９が堅固に取り付けられる中央孔を備えた円筒体を有している。同軸ガラスビーズ２０２は、それ自体が、ＲＦ基板１０３と外部ＲＦ伝送層１０７との間に位置するパッケージ本体１０５の空隙内に固定される。パッケージ本体１０５において、中央導体１０９をパッケージ本体１０５から絶縁する働きをもする同軸ガラスビーズ２０２の本体より上および／または下に位置する追加の空隙２０６、２０８があり得る。中央導体１０９は、はんだ相互接続２１３によってＲＦ回路に電気的に接続されている。
【００２３】
図３は、例示的なＲＦ遷移３００の斜視図を示す。この配置において、開放同軸構造３１３は、パッケージ本体３０５の上面に取り付けられているＲＦ基板３０３上に取り付けられたＲＦ伝送層３０１に隣接して、パッケージ本体３０５の上面上に取り付けられている。この例において、開放同軸構造３１３は、パッケージ本体３０５の上面上に形成された層として示されている。同軸ガラスビーズ（図３には示していない）の中央導体３０９の上端はまた、ＲＦ伝送層３０１に隣接して置かれており、開放同軸構造３１３内に形成された空洞３１５内に収容されている。開放同軸構造３１３の空洞３１５は、ＲＦ伝送層３０１に面する開口を含み、円セグメント（ｃｉｒｃｕｌａｒ  ｓｅｇｍｅｎｔ）に対応する断面を有していてもよい。例えば、空洞３２５は、円筒形の軸に平行な平面内で円筒形を切り取ることにより形成される円筒形セグメントであってもよい。同軸ガラスビーズの中央導体３０９およびＲＦ伝送層３０１は、リボンボンディングまたはワイヤボンディング相互接続のようなボンディング相互接続３１７によって相互接続されてもよく、または代わりの相互接続技術が用いられてもよい。ここで示す実施例では、中央導体３０９、ＲＦ伝送層３０１および開放同軸構造３１３は、パッケージ本体３０５の上面より上に類似の高さで延在している。
【００２４】
開放同軸構造３１３の空洞３１５は、同軸ガラスビーズの中央導体３０９からＲＦ伝送層３０１へ向かって９０°の角度で電磁場を導き、それによりＲＦ電気損失を低減することにより遷移特性を改善し、回路（およびデバイス）における電気的性能の改善をもたらす。角度付き遷移は９０°の遷移に限定されず、本発明は９０°より大きいか、または９０°未満の角度付き遷移のためにも使用され得る。
【００２５】
開放同軸構造は、導電性材料から、または導電性材料でめっきされた誘電体またはセラミックから形成されてもよい。開放同軸構造は、導体パッケージ本体と一体化することもできる。
【００２６】
開放同軸構造３１３の空洞３１５は、半円筒空洞の場合のように、１８０°の角度を囲むことができ、空洞３１５は、０°より大きく３６０°未満の角度を囲むことができる。
【００２７】
空洞３１５は、１８０°より大きな角度を囲んでいてもよく、これは電磁場を誘導するのに特に有益であることがわかっている。空洞３１５の最適な大きさまたは形状、または空洞３１５によって囲まれる最適な角度は、中央導体３０９の直径、開放同軸構造３１３が形成される材料、および特定のインピーダンスまたは必要な送信周波数などの任意のＲＦ性能要求に依存し得る。例えば、約２４０°の角度は、５０オームのＲＦ遷移を形成するのに特に適していることがわかっている。
【００２８】
図４は、図３の配置に対する変形例を示しており、開放同軸構造３１３が、基板３０３の上面上のＲＦ伝送層３０１に隣接して置かれた１つ以上の接地領域４１９に電気的に接地されている。電気的な接地は、ＲＦ基板３０３の接地領域４１９と開放同軸構造３１３との間に延在する１つ以上の接地相互接続４２１によって提供される。ここに示された配置において、図３のように、空洞は１８０°より大きく囲み、これは接地相互接続４２１の長さを最小にすることによって開放同軸構造３１３と接地領域４１９との間の接地リポーティングを改善するさらなる有益な効果を有している。
【００２９】
図５は、図４の配置に対する変形例を示しており、開放同軸構造３１３が間隙５１０によってＲＦ基板３０３から分離されている。この例では、開放同軸構造３１３の空洞５１５は１８０°の角度を囲み、接地相互接続５２１は、ワイヤ相互接続である。
【００３０】
図６は、ＲＦ遷移６００のための代わりの配置を示しており、開放同軸構造６１３が中央導体３０９の上端より上に延在するように、開放同軸構造６１３がパッケージ本体３０５の上面から離れる方向に延在している。この配置において、中央導体３０９の端部およびＲＦ伝送層３０１は、パッケージ本体３０５の上面より上で類似の高さにある。中央導体３０９に対する開放同軸構造６１３の延長された高さは、ＲＦ遷移に関連した電磁場の追加の誘導効果を生成する。中央導体に対する開放同軸構造６１３の高さｈは、ＲＦ遷移の性能を向上させるために最適化されてもよく、それにより、開放同軸構造６１３の高さｈは、開放同軸構造６１３内に形成された空洞６１５の半径ｒにほぼ等しいか、またはそれよりも大きい。およそｈ＝１．１ｒを超える追加の高さは、比較的小さな追加の利益を有している。
【００３１】
図７は、図６の配置のさらなる変形例を示しており、開放同軸構造７１３の上面は、基板３０３に隣接する１つ以上の階段状接地領域７２３を含み、これは開放同軸構造７１３の残りの部分よりも高さが低い。好ましくは、開放同軸構造７１３の１つ以上の階段状接地領域７２３は、接地相互接続５２１の長さを最小化し、および接地リポーティングを容易にするために、ＲＦ基板３０３の接地領域４１９に隣接して置かれるべきである。
【００３２】
様々なＲＦ遷移アセンブリが同軸ガラスビーズを使用して例示されているが、当技術分野で周知の導電性構造も使用することができる。
【００３３】
本発明の様々な実施形態が上で説明されてきたが、それらは限定ではなく例として提示されたものであることを理解されたい。本発明の精神および範囲から逸脱することなく、形態および詳細の様々な変更を行うことができることは当業者にとって明らかであろう。従って、本発明は、上述した例示的な実施形態のいずれかによって限定されるべきではなく、添付の特許請求の範囲およびそれらの等価物に従ってのみ規定されるべきである。
【符号の説明】
【００３４】
１００  無線周波数遷移
１０１  上部ＲＦ伝送層
１０３  ＲＦ基板
１０５  パッケージ本体
１０７  外部伝送層
１０９  中央導体
１１１  はんだ相互接続
２０２  同軸ガラスビーズ
２０６  追加の空隙
２０８  追加の空隙
３００  遷移アセンブリ
３０１  ＲＦ伝送層
３０３  ＲＦ基板
３０５  パッケージ本体
３０９  中央導体
３１３  開放同軸構造
３１５  空洞
３１７  相互接続
４１９  接地領域
４２１  接地相互接続
５１０  間隙
５１３  開放同軸構造
５１５  空洞
５２１  接地相互接続
６００  遷移
６１３  開放同軸構造
６１５  空洞
７１３  開放同軸構造
７２３  階段状接地領域
【図１】
2019519095.tif 000003
【図２】
2019519095.tif 000004
【図３】
2019519095.tif 000005
【図４】
2019519095.tif 000006
【図５】
2019519095.tif 000007
【図６】
2019519095.tif 000008
【図７】
2019519095.tif 000009
【国際調査報告】
2019519095.tif 000010
2019519095.tif 000011
2019519095.tif 000012